(57)【要約】  【課題】  苗木の成長に応じて、保護カバーの高さ調整を行うことができ、且つその調整を手軽に行うことができる便利な苗木の食害防止装置を提供することを目的とする。  【解決手段】  外周面に採光部が設けられている筒状の保護カバーで苗木を包囲することにより、動物の食害から保護する苗木の食害防止装置であって、保護カバー２を、上下方向において複数の筒状体４に分割可能にし、各筒状体４の外周面に７採光部を設け、保護カバー２の下端部に、下方に向かって杭３を突設して、この杭３を地中に差込むことにより保護カバー２を地面Ｇに自立させる。【選択図】  図１
2005143472.tif 000002
【特許請求の範囲】
【請求項１】
外周面に採光部が設けられている筒状の保護カバーで苗木を包囲することにより、動物の食害から苗木を保護する苗木の食害防止装置であって、
前記保護カバーが上下方向において複数の筒状体に分割可能で、前記各筒状体の外周面に前記採光部が設けられており、前記保護カバーの下端部に、下方に向かって支持部材を突設し、この支持部材を地中に差込むことにより前記保護カバーを自立させていることを特徴とする苗木の食害防止装置。
【請求項２】
外周面に採光部が設けられている筒状の保護カバーで苗木を包囲することにより、動物の食害から苗木を保護する、傾斜地に植えられている苗木の食害防止装置であって、
前記保護カバーが、上下方向において複数の筒状体に分割可能で、前記各筒状体の外周面に前記採光部が設けられており、前記保護カバーの下端部に、下方に向かって支持部材を突設し、この支持部材を地中に差込むことにより前記保護カバーを自立させ、該保護カバーの下端部に、斜面との隙間を塞ぐための保護幕を吊設したことを特徴とする苗木の食害防止装置。
【請求項３】
前記筒状体が周方向において複数の分割部に分割可能となっており、これらの分割部の側面に前記採光部が設けられていることを特徴とする請求項１または２記載の苗木の食害防止装置。
【請求項４】
前記分割部を、筒状体を周方向において２つに分割したものとして、この一対の分割部の一側端部どうしが、蝶番で連結されていることを特徴とする請求項３記載の苗木の食害防止装置。
【請求項５】
前記保護カバーの上面部に着脱可能な蓋が設けられ、該蓋には前記保護カバーの上端開口と同形状の開口部が設けられており、該開口部を塞ぐように透明の板状部材または透明フィルム、或いはネット状部材が取付けられていることを特徴とする請求項１〜４のいずれかに記載の苗木の食害防止装置。
【請求項６】
最下段の前記筒状体の上端部と下端部とに外向きのフランジ部を設け、前記支持部材を、前記各フランジ部に形成している貫通穴に挿通し、前記フランジ部に挿脱可能に保持させていることを特徴とする請求項１〜５のいずれかに記載の苗木の食害防止装置。
【請求項７】
前記各筒状体の上端部と下端部とに外向きのフランジ部を設け、前記支持部材を、前記各筒状体の上下のフランジ部に形成している貫通穴に挿通し、前記フランジ部に挿脱可能に保持させていることを特徴とする請求項１〜５のいずれかに記載の苗木の食害防止装置。
【請求項８】
前記支持部材に、Ｃ型の断面形状を有する筒状の固定具を、抱き込むようにして取付け、該固定具を前記フランジ部の貫通穴に係止させることで、前記支持部材を前記フランジ部に保持させており、少なくとも前記支持部材の表面、或いは固定具の内側面のいずれかに、凹凸を形成して滑り止めを設けていることを特徴とする請求項６または７記載の苗木の食害防止装置。
【発明の詳細な説明】
【技術分野】
【０００１】
本発明は、苗木を筒状の保護カバーで包囲することにより、野生動物等の食害から保護し、苗木の成長促進を図るとともに、被害を受けた苗木の樹勢の回復などを図る苗木の食害防止装置に関するものである。
【背景技術】
【０００２】
従来、治水や治山など国土保全を目的とする植林地や、木材の生産を目的とした商業用の植林地などにおいて、植えた苗木を、シカ・イノシシ・ウサギ・ネズミ等の野生動物の食害から保護することにより、苗木の生育不良を防止して、早期成林化を図る試みがなされている。そこで、植えられた苗木を、野生動物等の食害から保護するための様々な食害防止装置が提案されている。そのうちの一つに、例えば次のようなものがある。
それは、合成樹脂等で形成されている長尺の筒状の保護カバーを、苗木の上から被せるようにして苗木を包囲し、野生動物等が触れることができないようにすることで、苗木を野生動物等の食害から保護しようとするものである。この筒状の保護カバーは、近傍に立設されている支柱に支持されて、転倒しないようになっている（例えば、特許文献１参照）。
【特許文献１】特願２０００−２７０６９４号公報（第２〜３頁および図１）
【発明の開示】
【発明が解決しようとする課題】
【０００３】
しかしながらこのような食害防止装置は、あらかじめ保護カバーの高さが決められているため、苗木がある程度成長して、その高さが保護カバーを越えてしまった場合には、苗木を適切に保護できない場合がある。また、苗木の高さに応じて保護カバーの高さを高くしようとすれば、保護カバーを支柱で支持した構造であるため、まず、支柱をより長いものに交換したうえで、高さがより高い保護カバーに交換するなど、装置全体を別のものと入替えなければならないので、手間がかかるのと同時に、苗木１本当たりに要する作業時間が長くなり、特に植えられた苗木の本数が多い場合には莫大な時間を要する。
【０００４】
そこで本発明は、苗木の成長に応じて、保護カバーの高さ調整を行うことができ、且つその調整を手軽に行うことができる便利な苗木の食害防止装置を提供することを目的としている。
【課題を解決するための手段】
【０００５】
上記の課題を解決するために本発明の苗木の食害防止装置は、外周面に採光部が設けられている筒状の保護カバーで苗木を包囲することにより、動物の食害から保護する苗木の食害防止装置であり、前記保護カバーを、上下方向において複数の筒状体に分割可能にし、前記各筒状体の外周面に前記採光部を設け、前記保護カバーの下端部に、下方に向かって支持部材を突設して、この支持部材を地中に差込むことにより前記保護カバーを自立させていることを特徴としている。
【０００６】
この本発明の苗木の食害防止装置によれば、前記保護カバーを上下方向において複数の筒状体に分割可能にするとともに、下端部に支持部材を設けて前記保護カバーを地面に自立させるようにすることで、前記保護カバーの高さを容易に伸ばすことができ、苗木の適切な保護を図ることができる。
【０００７】
つまり、苗木の高さが低いうちは、前記保護カバーの下側の前記筒状体のみを使用して苗木を保護すればよく、苗木が成長して高さが高くなれば、前記筒状体を積み増しして、前記保護カバーの高さを高くすれば良いのである。この際、前記保護カバーは地面に自立した状態となっているので、装置全体を入替える必要はなく、前記筒状体を積み増しするだけで、簡単に前記保護カバーの高さを伸ばすことができる。
【０００８】
また、前記各筒状体の外周面に前記採光部を設けているため、前記保護カバーの内側に日光を取り込むことができ、前記保護カバーを設置したことによる日照不足等を防ぐことができる。特に、前記採光部にネット部材を用いると風通しも良くなるので、病害虫の温床となることも防止することができる。
【０００９】
さらに、請求項２にかかる苗木の食害防止装置のように、傾斜面に植えられている苗木に設置する場合、前記保護カバーの下端部に、斜面との隙間を防ぐための保護幕を吊設しておくことで、傾斜面の勾配にかかわらず、前記保護カバーと斜面との隙間を確実に塞ぐことができるようになる。
【００１０】
また、請求項３の苗木の食害防止装置のように、前記筒状体を周方向において複数の分割部に分割可能とすれば、これらの分割部を苗木の周囲で組立て前記筒状体として、苗木を包囲することができるので、設置作業をより簡単に行なえるようになる。特に、苗木が成長して高くなり前記保護カバーを伸ばす必要が生じた場合には、前記筒状体を苗木の上方まで持上げて苗木に通さなくても、前記各分割部を苗木の側方から、苗木を囲むようにして連結すれば前記筒状体を積み増しできるため、前記保護カバーの高さを容易に延ばす
ことができるのである。
【００１１】
そして、請求項４の苗木の食害防止装置のように、前記分割部を、筒状体を周方向において２つに分割したものとして、この一対の分割部の一側端部どうしを、蝶番で連結すれば、前記一対の分割部を、他方の側端部どうしを連結するだけで、前記筒状体とすることができるので、設置作業をより簡略化することができる。
【００１２】
それから請求項５の苗木の食害防止装置のように、保護カバーの上面部に着脱可能な蓋を設けて、該蓋に前記保護カバーの上端開口と同形状の開口部を設け、さらに該開口部を塞ぐように透明の板状部材または透明フィルム、或いはネット状部材を取付けるようにしても良い。こうすれば、野生動物等が前記保護カバーの上部開口から苗木を食べられないようにするだけでなく、日光を前記保護カバー内に導くことができるので、苗木が日照不足にならないようにしつつ、苗木をより確実に野生動物等の食害から守ることができるようになる。
【００１３】
また、請求項６の苗木の食害防止装置のように、最下段の筒状体の上端部と下端部とに外向きのフランジ部を設け、支持部材を、前記各フランジ部に形成している貫通穴に挿通し、前記フランジ部に挿脱可能に保持させるようにしても良い。
【００１４】
こうすれば、前記保護カバーを設置した後でも、前記支持部材の取付・取外しができるので、設置後の前記保護カバーの位置調整などを手軽に行えるようになる。
【００１５】
さらに、請求項７の苗木の食害防止装置のように、各筒状体の上端部と下端部とに外向きのフランジ部を設け、支持部材を、前記各筒状体の上下のフランジ部に形成している貫通穴に挿通し、前記フランジ部に保持させるようにしても良い。
【００１６】
こうすれば、前記保護カバーの組立ての際に、特に下から二段目以降の前記筒状体を、そのフランジ部部の貫通穴を、前記支持部材に挿通させて積み上げるようにすれば、前記支持部材がガイドの役割をし、前記筒状体どうしのずれをある程度抑えつつ組立てることができるので、その作業をより簡単なものにすることができる。
【００１７】
また、前記支持部材を複数設けた構成にすれば、前記筒状体どうしを連結しておく必要もなくなるので、前記保護カバーの組立・解体、または前記保護カバーの高さ調整を手軽に行なえるようになる。
【００１８】
つまり、複数の前記支持部材によって、前記保護カバーを自立させる構成とすれば、前記各支持部材に前記フランジ部の貫通穴を挿通させた状態となっている前記各筒状体は、横方向の動きが拘束されて、互いにずれを生じることがないからである。また、前記保護カバーを１本の前記支持部材を用いて自立させる構成とした場合でも、前記支持部材まわりに前記筒状体が回転しないようにすれば、上記同様、前記筒状体どうしの連結を行なう必要がなくなる。たとえば、前記支持部材の横断面形状を四角形にするとともに、この断面形状よりもやや大きい四角形の断面形状を有する貫通穴を、前記フランジ部に設けるようにすれば、前記筒状体の横方向の動きを拘束できるからである。
【００１９】
また、請求項８の苗木の食害防止装置のように、支持部材に、Ｃ型の断面形状を有する筒状の固定具を、抱き込むようにして取付け、該固定具を前記フランジ部の貫通穴に係止させることで、前記支持部材を前記フランジ部に保持させており、少なくとも前記支持部材の表面、或いは固定具の内側面のいずれかに、凹凸を形成して滑り止めを設けることもできる。こうすれば、前記支持部材と固定具との間で滑りが生じにくくなり、前記支持部材の抜け等をより確実に防止することができる。
【発明の効果】
【００２０】
この本発明にかかる苗木の食害防止措置によれば、苗木の成長に応じた適切な保護ができるので、野生動物等による食害を減少させることができ、より確実に成林化を図ることが可能となる。また、保護カバーの高さ調整を簡単に行なえるため、苗木の世話にかかる手間が省け、維持管理の負担を軽減することができる。さらに、筒状体を周方向において分割可能とすれば、保護カバーを簡単に解体できるので、苗木の周辺に生えた雑草や苗木に巻きついた蔓の除去などの手入れ時の負担を軽減することができる。
【発明を実施するための最良の形態】
【００２１】
本発明にかかる苗木の食害防止装置の実施形態について、図面１〜８を参照しつつ以下に説明する。
【００２２】
図１は本実施形態の苗木の食害防止装置を示す説明図であって、実際に設置した状態を示している。図２は本実施形態の食害防止装置の保護カバーを構成している筒状体と支持部材とを示す斜視図であって、筒状体を２つの分割部に分割した状態を示している。そして、図３は本実施形態にかかる食害防止装置の組立て手順の一例を示す説明図である。
【００２３】
苗木の食害防止装置１（以下、単に食害防止装置ともいう）は、苗木を筒状の保護カバーで包囲することにより、野生動物等が苗木に触れられないようにして、新芽や葉や樹皮などを食べる野生動物等の食害から苗木を保護する装置であって、図１に示すように、円筒形の保護カバー２と、その下端部に下方に向けて突設させた支持部材３（以下、杭ともいう）からなっており、保護カバー２は、その杭３を地中に差込むことによって地面Ｇに自立した状態となっている。
【００２４】
この保護カバー２は、軸方向において複数の同じ形状の筒状体４に分割可能となっており、苗木が低いうちちは下側の筒状体４のみを用いて苗木を保護し、苗木の生長に応じて、筒状体４を順次積み増して保護カバー２を延ばすことができるようになっている。
【００２５】
各筒状体４は、図２に示すように、周方向において２つの同形状の分割部５に半割り可能となっている。これらの分割部５は、平面視半円の円弧状に形成された上下フランジ部５ａが上端部と下端部とに設けられ、且つ両側端部にも縦長の略長方形の横フランジ部５ｂがそれぞれ設けられており、各横フランジ部５ｂの上端部と下端部とはそれぞれ、上下フランジ部５ａの端部に連結されている。上下フランジ部５ａと各横フランジ部５ｂにはそれぞれ、連結用の貫通穴５ｃが２つずつ形成されている。
【００２６】
そして、下フランジ部５ａの上面部には内周側の縁部に沿って、一定の高さを有する板状の下取付片５ｄが立設されており、この下取付片５ｄと同じ形状の上取付片５ｄが上下対称になるように、上フランジ部５ａの下面部に設けられている。また、各横フランジ部５ｂの、上下フランジ部５ａに挟まれた領域に面している側面部に、分割部５の内面側の側縁部に沿って、縦長の長方形状に形成された板状の横取付片５ｄが、その幅方向を分割部５の周方向に沿うようして設けられている。
【００２７】
それから、上下取付片５ｄと両側の横取付片５ｄの外周面側の面にそれぞれ、横長の長方形状のネット部材の各辺縁部を固定することにより、分割部５の側面に採光部７を設けている。このネット部材の網目の大きさは、ネズミなどの小型動物が進入しないような大きさを限度として、極力網目の大きなものが使用されている。こうして極力網目の大きいネット部材を用いることで、動物の食害を防止しつつ、保護カバー２を設置することによる日照不足や通気性の低下を防止し、生育不足や病害虫の温床となることを防いでいるのである。
【００２８】
また、筒状体４の下端部は、杭３を取付けることが可能となっている。杭３は、縦長の正四角錘の上下を逆さまにした形状のもので、上面部の中央にはネジ穴３ａが形成されており、筒状体４の下フランジ部５ａとボルト締結により連結可能となっているのである。なお、分割部５の上下フランジ部５ａや各横フランジ部５ｂ、および上下取付片５ｄと両側の横取付片５ｄは、硬質の合成樹脂で形成できるほか、鋼材やステンレス材料などをでも製作でき、またネット部材には、樹脂製ネットや金網などを用いることができる。
次に、食害防止装置１の設置方法について、図３を用いて説明する。
【００２９】
はじめに、分割部５の下フランジ部５ａの各貫通穴５ｃに、ボルトを通した後に杭３のネジ穴３ａに螺合させることにより、分割部５と杭３とをボルトで締結する。こうして杭３を取付けた２つの分割部５を、両側のフ横ランジ部５ｂどうしを付き合わせ、各横フランジ部５ｂにある貫通穴５ｃにそれぞれボルトを通した後にナットを螺合させることにより、横フランジ部５ｂどうしを締結して筒状体４する。そして、筒状体４を、上から押さえつけることにより杭３を地中に差込み地面Ｇに固定する。
【００３０】
次に、別の２つの分割部５を、１段目の場合と同様に、両側の横フランジ部５ｂどうしをボルト締結して筒状体４にし、この２段目の筒状体４を構成している分割部５の下フランジ部５ａの貫通穴５ｃを、１段目の筒状体４を構成している分割部５の上フランジ部５ａの貫通穴５ｃに一致させたうえでボルトを通し、このボルトにナットを螺合させることにより、上下分割部５の下フランジ部５ａおよび上フランジ５ａどうしをボルト締結して、１段目の筒状体４と２段目の筒状体４とを連結する。
【００３１】
このようにして、保護カバー２が苗木に対して適切な高さになるまで、筒状体４を順次積み上げる。なお、苗木の高さが低い場合には、分割部５をあらかじめ筒状体４にしておいてから、組立てても良い。
【００３２】
そして、比較的高さの高い苗木に用いる場合には、各分割部５を苗木の側方から、苗木を囲むようにして、横フランジ部５ｂどうしを合わせたうえで、横フランジ部５ｂどうしをボルト締結することで、分割部５を筒状体４とすれば、筒状体４を苗木に上方まで持ち上げる必要がないので、食害防止装置の設置を楽に行なうことができる。
【００３３】
また、苗木が成長して高くなった場合等にも、上記手順により筒状体４を積み増しすれば、保護カバー２の高さを簡単に高くできるので、装置全体を交換する必要もなく、手軽な作業で適切な苗木の保護を行なうことが可能となる。
【００３４】
なお、上記手順に限ることなく、例えば、上下の分割部５どうしをあらかじめ連結したうえで、これらの各横フランジ５ｂどうしをボルト締結して、筒状体４とすることもできる。
【００３５】
また、分割部に取付けられているネット部材の代りに、透明の合成樹脂性のシート状部材や板状部材などを用いることもできる。シート状部材、または板状部材を用いる場合には、通気性を向上させるために、シート状部材に複数の小径の通気孔を設けておくのが好ましい。
【００３６】
上述したような食害防止装置１を、傾斜地に植えられた苗木Ｐに用いる場合には、図４に示すように、谷側の杭３を山側の杭３よりも長くすれば、保護カバー２をより安定した状態で自立させることができる。そして保護カバー２の下端部に、地面との隙間を塞ぐための保護幕６を吊設しておくと、ネズミなどの小型動物の侵入等を防ぐこともできる。
【００３７】
この保護幕６は、網目の比較的大きな円形の布材の中央部を、筒状体４の内径と同程度の大きさの径を有する円形状にくり抜いたもので、内周縁部には、下フランジ部５ａの貫通穴５ｃに対応する位置にそれぞれ、貫通穴が設けられており、且つ横フランジ部５ｂに対応する位置にそれぞれ、切れ目が設けられている。そして、この内周縁部を、筒状体４の下フランジ部５ａの上に重ねるようにしたうえで、下フランジ部５ａと同じような形状を有した押さえ部材８を上に置き、各貫通穴にボルトを通したのちに、杭３のネジ穴３ａに螺合させることにより、保護幕６の内周縁部を、下フランジ部５ａと押さえ部材８とで挟み込んで固定し、筒状体４の下端部に吊設した状態としている。なお、保護幕６の一部に、半径方向に沿って全幅にわたり切れ目を設けておくと、苗木の高さが高い場合などで
も、簡単に取り付けることができるようになる。
【００３８】
そして、保護幕６の下端部を盛り土などをして地中に埋めることで、保護カバー２と傾斜した地面Ｇとの隙間を塞いでいるのである。なお、保護幕６に布材を用いているので、どのような勾配の斜面に食害防止装置１を設置しても、保護カバー２と斜面との隙間を確実に塞ぐことができる。
【００３９】
上記実施形態の筒状体４は２つの分割部５を、両側の横フランジ部５ｂをボルト締結することにより一体にしているが、図５に示すように、一方の側端部のフランジ部５ｂどうしをあらかじめ蝶番９で連結し、筒状体４を水平方向に開閉できる構造としても良い。この場合、蝶番９で連結されたフランジ部５ｂには貫通穴は設けず、もう反対側のフランジ部５ｂにのみ貫通穴５ｃを設けておくことで、各分割部５の蝶番とは反対側のフランジ部５ｂどうしをボルト締結すれば筒状体４にすることができるので、保護カバー２の組立てを簡略化することができる。
【００４０】
なお、本発明にかかる食害防止装置は、図６のように、下の方にある筒状体４と上の方にある筒状体４とで、分割部５の採光部７にあるネット部材の目の大きさを変えるようにしても良い。つまり、上の方にある筒状体４の分割部５のネット部材は、シカなどの大型動物の口が入らなければ良いので、比較的目の大きなものを使用し、下の方にある筒状体の分割部のネット部材は、ネズミやウサギなどの小動物が保護カバー２内に入り込んだり、口を入れたりできないようにするため目を小さくするのである。
【００４１】
また、苗木Ｐを野生動物等の食害からより確実に保護するために、図７に示すように、保護カバー２の上面部に蓋１０を設けて開口を塞いでも良い。この蓋１０は、筒状体４の上フランジ部５ａと同径の円板状のもので、円形の板材の中央部に筒状体４の上面部の開口と同じ大きさの穴を設けた本体１０ａに、穴を塞ぐようにしてネット状部材１０ｂを取付けたものである。また本体１０ａには、筒状体４の上フランジ部５ａの貫通穴５ｃに対応する位置に取付穴が設けられており、この取付穴と貫通穴５ｃ（図２および図３等参照）とにボルト１１を貫通させた後に、ボルト１１にナットを螺合させることで、蓋１０は筒状体４に取付けられている。なお、ネット状部材１０ｂの代わりに、透明の合成樹脂板や透明フィルムなども用いることができ、その場合には通気用の小孔を設けておくことが好ましい。
【００４２】
本実施形態では、一対の分割部５を各側端部に設けた横フランジ部５ｂどうしをボルト締結することにより筒状体４に組立てているが、当然これに限ることはなく、例えば、分割部５を図８に示すような構造にすれば、工具を使用せずに筒状体４の組立・解体を行なうことができるようになる。図８に示す分割部５は横フランジ部５ｂの代わりに、短尺筒状のピン受部１２ａを有するジョイント部１２が、両側端部に所定の間隔ごとに取付けられているもので、対向する分割部５の側端部のジョイント部１０は、位置が互い違いとなるよう取付けられている。各ジョイント部１２は、短尺筒状のピン受部１２ａの側面部に、縦向きに配置した板状の支持部１２ｂの一側端部が取り付けられていて、この支持部１２ｂの他方の側端部を、分割部５の横取付片５ｄの側端部に接合することにより、分割部５に取り付けられている。
【００４３】
このような一対の分割部５を、各側端部どうしを突き合わせて配置し、各ジョイント部１２のピン受部１２ａの穴の位置を合わせた状態にして、分割部５の縦の長さよりも若干短めに製作したピン１３の先端部を、一番上のジョイント部１２のピン受部１２ａの穴に挿入した後、ピン１３を下ろして各ジョイント部１２のピン受部１２ａの穴に順次貫通させることにより連結する。
【００４４】
次に、別の実施形態について、図９〜１１を参照しつつ説明する。
【００４５】
図９に示している食害防止装置１’は、上下方向において複数の筒状体４’に分割可能となっている保護カバー２’と、保護カバー２’の下側から下方に向かって突出するようにして設けた棒状の支持部材３’とからなっており、支持部材３’を地面Ｇに差込むことにより、保護カバー２’が自立した状態となっている。
【００４６】
各筒状体４’は短尺の円筒形状をしており、上端部と下端部とにはそれぞれ、ボルト用の貫通穴５ｃ‘が設けられているフランジ部５ａ’が取付けられていて、筒状体４’どうしをボルトで連結できるようにしている。また、各筒状体４’には、その側面全周にネット状部材を取付けることによって採光部７’を設け、日光を保護カバー２’内に取り込めるようにしている。
【００４７】
支持部材３’は、最下段にある筒状体４’の上下フランジ部５ａ’と、その上の二段目の筒状体４’の下フランジ部５ａ’との貫通穴５ｃ’に挿通されており、下部を筒状体４’の下側から突出させるとともに、上端部を二段目の筒状体４’の下フランジ部５ａ’の上側に突出させた状態とし、二段目の下フランジ部５ａ’の上側と、最下段の筒状体４’の下フランジ部５ａ’の上側とに、クリップ（固定具）１４’をそれぞれ取付けることにより、これらのフランジ部５ａ’に保持された状態となっている。
【００４８】
このクリップ１４’は筒状に形成されており、外周壁の一部に長さ方向の切欠き部が設けられている。この切欠き部の両側に位置している外周壁の側端部はそれぞれ、外側に向かって折曲げたような形状となっており、支持部材３’に取付け易くなっている。支持部材３’に取付けられたクリップ１４’は、その外周壁の内面を支持部材３’の外周面に押し付けた状態となり、これらの摩擦抵抗により、支持部材３’との間に滑りを生じないようになっているのである。
【００４９】
この支持部材３’は、肉厚の薄いパイプ部材の表面に塩化ビニル樹脂などの合成樹脂をコーティングしたもので、図中部分拡大図に示しているように、表面全体に小さい突起を形成して滑り止めを設けている。この滑り止めにより、クリップ１４’と支持部材３’との滑りが発生しにくく、支持部材３’の位置ずれを防止することができるのである。
【００５０】
そして、支持部材３’には、パイプ部材内へ雨水や土などが侵入しなように、上端部と下端部とにはそれぞれキャップ１７ａ’・１７ｂ’が取付けられている。下端部のキャップ１７ｂ’は、先を尖らせた形状としているため、支持部材３’を地面Ｇに差し込み易くなっており、上端部のキャップ１７ａ’は上部を丸めた形状としているので、近づいてきた野生動物などが傷付かないようなっている。
【００５１】
そして、二段目よりも上側の筒状体４’はボルト締結により連結されており、最上段の筒状体４’の上フランジ５ａ’には、中央部に形成された開口をネット部材１０ｂ’で塞いだ円板状の蓋１０’が取付けられている。
【００５２】
このような食害防止装置１’は、最下段の筒状体４’を地面Ｇに置いた後で、支持部材３’を取付けることもできるため、最下段の筒状体４’の位置合わせが容易になる。
【００５３】
さらに、図１０に示すように、支持部材３’を長さの長いものに交換して、各筒状体４’の上下フランジ部５ａ’の貫通穴５ｃ’に、支持部材３’を挿通させて、筒状体４’を積み上げるようすることもできる。こうすれば、各筒状体４’の横方向の動きを拘束することができ、筒状体４’どうしにずれを生じることがないので、筒状体４’どうしの連結手段を設ける必要がなくなり、組立・解体の作業の簡略化を図ることができる。
【００５４】
また、蓋１０’もその取付穴を、最上段の筒状体４’の上側に突出させている支持部材３’の上端部に挿通させた状態で筒状体４’上に載置するようにして、クリップ１４’を支持部材３’の蓋１０’の上側と、最下段の筒状体４’の上フランジ部５ａ’の下側とに取付けるようにすれば、食害防止装置１’の組立・解体を、工具を使用することなく行なうことができるようになるので、食害防止装置１’の組立・解体作業を、より一層簡略化することができるのである。
【００５５】
そして、クリップ１４’の代りに、図１１（ａ）（ｂ）に示すような固定具１５’を用いることもできる。この固定具１５’は、筒状の本体部１５ａ’の上端部を半径方向に延出させて係止部１５ｂ’を形成し、本体部１５ａ’の外周面には、その外径が下端に向かって徐々に小さくなるようにテーパーを設けている。そして、固定具１５’の一側部を、長さ方向に所定の幅で完全に削除することで切欠き部１５ｃ’を設け、支持部材３’の側方から取付けられるようになっている。
【００５６】
この固定部１５’を、支持部材３’を抱き込むようにして取付けた後、係止部１５ｂ’を上から押さえて、支持部材３’と貫通穴５ｃ’との隙間に本体部１５ａ’を差込む。すると、本体部１５ａ’の外周面にはテーパーが設けられているので、その隙間の大きさに応じた位置で止まり、支持部材３’を上下フランジ部５ａ’に固定することができる。そして、本体部１５ａ’の内周面と支持部材３’の外周面との摩擦抵抗により、支持部材３’の上下方向のずれを防止できる。さらに、貫通穴５ｃ’と支持部材３’との間の隙間による、筒状体４’のガタつきも抑えることができるのである。
【００５７】
また、図１１（ｃ）に示すように、支持部材３’の上部外周面にネジ部３ａ’を形成しておき、ネジ部３ａ’に螺合させた２つのナット１６’で、最上段の筒状体４’の上フランジ部５ａ’と蓋１０’とを挟み込むことにより、支持部材３’を上フランジ部５ａ’と蓋１０’とに保持させるようにしても良い。
【図面の簡単な説明】
【００５８】
【図１】本発明にかかる苗木の食害防止装置の実施形態で、設置状態を示す斜視図である。
【図２】筒状体と杭（支持部材）とを示す斜視図であり、筒状体は分割部に分割した状態を示している。
【図３】食害防止装置の組立て手順の一例を示す説明図である。
【図４】本発明にかかる苗木の食害防止装置の、他の実施形態を示す斜視図である。
【図５】筒状体の別の実施形態を示す斜視図である。
【図６】本発明にかかる苗木の食害防止装置の、他の実施形態を示す斜視図である。
【図７】本発明にかかる苗木の食害防止装置であって、保護カバーに蓋を取付けた状態を示す斜視図である。
【図８】筒状体のさらに別の実施形態を示す斜視図である（部分拡大図を含む）。
【図９】本発明にかかる苗木の食害防止装置の別の実施形態を示す斜視図である。
【図１０】本発明にかかる苗木の食害防止装置のさらに別の実施形態を示す斜視図である。
【図１１】（ａ）（ｂ）は図９・１０で示した苗木の食害防止装置にかかる固定具の別の実施形態を示す斜視図と取付状態を示す断面図である。（ｃ）は支持部材を別の方法を用いて保持部に保持させている状態を示す斜視図である。
【符号の説明】
【００５９】
１  食害防止装置
２  保護カバー
３  杭
４  筒状体
５  分割部
６  保護幕
７  採光部
９  蝶番
Ｐ  苗木
【図１】
2005143472.tif 000003
【図２】
2005143472.tif 000004
【図３】
2005143472.tif 000005
【図４】
2005143472.tif 000006
【図５】
2005143472.tif 000007
【図６】
2005143472.tif 000008
【図７】
2005143472.tif 000009
【図８】
2005143472.tif 000010
【図９】
2005143472.tif 000011
【図１０】
2005143472.tif 000012
【図１１】
2005143472.tif 000013